(57)【特許請求の範囲】
【請求項１】
人間の目を一定の観察位置（４１）において、観察軸線（４０）の方向に向けて、人間の目の視覚能力を検査する装置であり、
観察軸線（４０）の周囲において選択され得る位置で、時間的な段階をつけて刺激を発生させる手段を組み込んだ第一光源（４２）と、観察軸線（４０）の周囲で均等に分散された光を発生させる第二光源（４９、４９´）を具備し、
前記第二光源（４９、４９´）が、少なくとも一つのＬＥＤを備えている人間の目の視覚能力を検査する装置において、
前記第二光源（４９、４９´）が、少なくとも二つのＬＥＤ（５７、５８）と、少なくとも一つのカラーフィルター（５６）とを備え、
一つのＬＥＤ（５７）の光が、カラーフィルター（５６）を透過し、対応するカラー周囲光を発生し、
一つのＬＥＤ（５７）がカラーフィルター（５６）の下に配置され、別のＬＥＤ（５８）がカラーフィルター（５６）の上に配置されること
を特徴とする装置。
【請求項２】
第二光源（４９、４９´）を、選択的に連続または、フリッカー或いは、ちらつく周囲光を生じさせることができるように形成することを特徴とする請求項１に記載の装置。
【請求項３】
フリッカー周囲光の周期は、少なくとも通常のフリッカー値の範囲で、変えることができることを特徴とする請求項２に記載の装置。
【請求項４】
フリッカー周囲光の強度が、変えることができることを特徴とする請求項２に記載の装置。
【請求項５】
複数のＬＥＤ（５７）がカラーフィルター（５６）によって、カラー周囲光を発生させることを特徴とする請求項１〜４のいずれか一項に記載の装置。
【発明の詳細な説明】
【０００１】
【発明が属する技術分野】
本発明は、人間の目を観察位置で観察軸線方向を向けて、人間の目の視覚能力を検査する装置に関するものである。第一光源を組み込んだ手段により、刺激が観察軸線の周囲において選択され得る位置で、時間的に段階をつけて生じさせられる。第二光源によって、観察軸線の周りの周囲が、均等に照らされる。
【０００２】
【従来の技術】
従来技術による装置は、現行の技術で、スイス国CH-A-677 599により知られている。この方法の場合、刺激は観察軸線の周りの結像面上で患者に与えられる。この観察軸線の周りの周囲空間が、均等に照らされている。そのため観察軸線に結像面に対し向かい合って、部分的に光を透過させる鏡が配置され、一方で刺激光源の光を透過させ、他方で第二光源から生じる光が、画像面に対して向きを変える。第二光源としてハロゲンランプが組み込まれており、場合によってハロゲンランプは、送風機によって冷やさなければならない。
【０００３】
現状の技術では、それに加えて全領域視野計（Ganzfeld-Perimeter）が電気生理学の分野で知られており、それによってフリッカー周囲部を生じさせることができる。そのフリッカー周囲部は、ハロゲンランプ及び機械シャッターによって作られ、ハロゲンランプの光を一定の周期で遮断する。機械シャッターは、比較的高価で、故障しやすい。
【０００４】
【発明が解決しようとする課題】
本発明の課題は、従来技術による装置を簡単に安価で製造できるようにすることである。
【０００５】
【課題を解決するための手段】
この課題は、この種の方法において、二つの光源が少なくとも一つのＬＥＤ（発光ダイオード）を備えることによって解決される。ＬＥＤが、有利には時間的要素を組み込んでおり、その要素は一定にスイッチを入れるかまたは、選択可能な時間的な比率で明滅させる。選択され得る周期は、ＬＥＤに本質的に制限がなく、またそれによって、いわゆるフリッカー値（Verschmelzungsfrequenzen）を含む範囲を取り払うことができる。
【０００６】
【本発明の実施の形態】
本発明による装置は、フリッカー周囲部を発生させることによって、可動機械部分をなくすことができる。更に複数のＬＥＤは損失熱がなく、送風機による冷却作用が必要ではない。フリッカーＥＲＧを利用するため高価な増幅器が必要とされる、電気生理学とは逆に、被験者は答えを応答ボタンによって行う。
【０００７】
本発明による別の実施形態では、第二光源が異なる平面上に配置されたＬＥＤを少なくとも二つ、カラーフィルターを少なくとも一つ備える。その場合、一つのＬＥＤの光がカラーフィルターを通り抜け、対応する色付きの周囲部を生じさせる。ここで本質的な利点は、カラーフィルターを堅固に装着することができることである。これまでその様なカラーフィルターは動くように配置させ、必要に応じて光線の向きを変えなければならなかった。この発明の場合、白色周囲部に関してＬＥＤのスイッチが入れられても、その光がカラーフィルターを介して進まない。色付き周囲部を発生させるため、別のＬＥＤのスイッチが入れられる。ここでは、更に別のカラーフィルターを具備した実施形態も可能である。
【０００８】
更なる有利な特徴は、従属する請求項と以下の説明と図面により明らかになる。
【０００９】
【実施例】
図１に概略的に示した視野計は、光学システム６０を備えており、光軸線４０上に一方に観察位置４１を、他方に刺激を発生させる第一光源４２を備えている。刺激は小さな光による刺激であり、別の位置で被験者に、その顔の領域に当てられる。第一光源４２の光は、集光レンズ４３によってブラインド４４上で集束され、ブライド４４の後方で並行な光線路４５に向きが変えられる。光線路４５はブラインド４４に対し視野レンズ４６によって、観察位置４１に対し凸レンズ５３によって狭められる。観察位置４１は、集光レンズ５３が光線路４５から出る光を、観察眼の瞳孔の中心で集束するように、形成されている。観察眼の視覚障害が、それによって網膜上の刺激像（Stimulsabbildung）に影響することはない。並行な光線路４５において、全体の横断面に対応するブラインド４７が、刺激を形状及び寸法に関して限定するブラインド開口部４８を具備して、観察軸線４０に対して直角に配置されている。ブラインド４７は、観察軸線４０に対して平面上を、互いに直角を成す二方向に、ここでは示されていない方法と、同様に図示されていない計算機を利用して制御される駆動装置によって、移動させることができる。それによって、ブラインド開口部４８が個々に、所望により、調整されるブラインド面の画定位置に移動させられる。刺激を提供することにより、ブラインド面における並行な光線路４５を達成し、そこから光線路が凸レンズ５３によって、観察の目の網膜上で結像される。
【００１０】
周囲を明るくすることが、第二光源４９によって行われ、その光は部分的に光を透過させる傾斜鏡５０を越え、光線路４５において凸レンズ５３に対して曲げられる。部分的に透過させる二つの別の傾斜鏡５１及び５２が、一方で固定マークをその周囲で鮮明にすることができ、他方で観察眼がカメラによって監視される。
【００１１】
第二光源４９としてＬＥＤが組み込まれると、一方で連続し、他方で明滅する周囲光を作ることができるように、制御される。工程計画は、集中点の近くで明滅周囲光の特徴を変化させて、いわゆるフリッカー値を入力方法または連続近似によって算出して確定することができるようにする。フリッカー周囲部を感知すると、被験者が応答ボタンによって、合図を送る。周囲光は、白色または色付きであり得る。図１では、第二光源４９が単一のＬＥＤによって形成されている。また他の実施例を考えることができ、それは第二光源４９が、更に複数のＬＥＤによって形成される。
【００１２】
図２に示されている実施例の場合、第二光源４９´が支持部５５において、異なる平面Ａ及びＢ上に複数のＬＥＤ５７または５８を配置している。カラーフィルター５６は支持台上に固定されて、複数のＬＥＤ５８がフィルターの上に、複数のＬＥＤ５７がフィルター５６の下に配置されるようになっている。白色の周囲光を生じさせるため、複数のＬＥＤ５８だけを作動する。色付き周囲光を得るため、複数のＬＥＤ５８ではなく、複数のＬＥＤ５７を作動させる。複数のＬＥＤ５７が、見られるように、カラーフィルター５６の下に配置されており、それらの光が、カラーフィルター５６を介してさしこみ、それによって対応する色が得られる。色を取り替えるため、ＬＥＤ５７及び５８を切り替えなければならないだけである。カラーフィルター５６は堅固に取り付けられており、そのため色の取替えのために、動かすことはない。複数のＬＥＤ５７〜５９は作動時には、本質的に熱を発しないで、二つの光源４９または４９´を活発に冷却することは不必要である。
【図面の簡単な説明】
【図１】本発明による方法の概略図。
【図２】第二光源の別の実施例。
【符号の説明】
４０  光軸線
４１  観察位置
４２  光源
４３  集光レンズ
４４  ブラインド
４５  光線路
４７  ブラインド
４８  ブラインド孔
４９  光源
４９´光源
５０  傾斜鏡
５３  凸レンズ
５５  支持部
５６  カラーフィルター
５７  ＬＥＤ
５８  ＬＥＤ
５９  ＬＥＤ
６０  光学システム
Ａ    平面
Ｂ    平面
【図１】
0004825369.tif 000002
【図２】
0004825369.tif 000003